(57)【要約】【課題】良好な電気的接続および低コスト化が可能な太陽電池セル、太陽電池モジュールおよび太陽電池システムを提供する。【解決手段】複数の太陽電池セル４と、複数の太陽電池セル４を電気的に接続するための導電性接続部材５とを備える太陽電池モジュールであって、太陽電池セル４は、複数本の細線状電極４０aとこれらとそれぞれ交わるように構成された細線状電極４０ｂを有する一方の電極４０と、他方の電極４１を備え、電性接続部材５は、太陽電池セル４の電極４０が導電性接続部材５に食い込むように太陽電池セル４と樹脂からなる接着剤１０により接着されている。【選択図】図５
2010238938.tif 000002
【特許請求の範囲】
【請求項１】
複数の太陽電池セルと、該複数の太陽電池セルを電気的に接続するための導電性接続部材とを備える太陽電池モジュールであって、
前記太陽電池セルは、複数本の第１の細線状電極と該複数の第１の細線状電極とそれぞれ交わるように構成された少なくとも１つの第２の細線状電極を有する一方の電極と、他方の電極とを備え、
前記導電性接続部材は、前記太陽電池セルの前記一方の電極が該導電性接続部材に食い込むように該太陽電池セルと樹脂からなる接着剤により接着されていることを特徴とする太陽電池モジュール。
【請求項２】
前記導電性接続部材はその表面に導電性軟質層を備えることを特徴とする請求項1記載の太陽電池モジュール。
【請求項３】
前記第２の細線状電極の平均高さは、前記第１の細線状電極の平均高さより大きいことを特徴とする請求項1または請求項２記載の太陽電池モジュール。
【請求項４】
前記第２の細線状電極が、前記導電性接続部材に食い込むことを特徴とする請求項１〜請求項３のいずれか1項に記載の太陽電池モジュール。
【請求項５】
前記第２の細線状電極の線幅は、前記第１の細線状電極の線幅と略同じであるであることを特徴とする請求項１〜請求項４のいずれか1項に記載の太陽電池モジュール。
【請求項６】
前記第２の細線状電極は、非直線状であることを特徴とする請求項1〜請求項５のいずれか1項に記載の太陽電池モジュール。
【請求項７】
前記第２の細線状電極の幅Ｗは、前記導電性接続部材の幅より大きいことを特徴とする請求項1〜請求項６のいずれか1項に記載の太陽電池モジュール。
【請求項８】
導電性接続部材により他の太陽電池セルと電気的に接続されると共に、該導電性接続部材が樹脂からなる接着剤により前記他の太陽電池セルに接着される太陽電池セルであって、
前記太陽電池セルは、複数本の第１の細線状電極と該複数の第１の細線状電極とそれぞれ交わるように形成された少なくとも１つの第２の細線状電極を有する一方の電極と、他方の電極を備えることを特徴とする太陽電池セル。
【請求項９】
請求項1〜請求項７のいずれか1項に記載の太陽電池モジュールを備えた太陽電池システム。
【発明の詳細な説明】
【技術分野】
【０００１】
本発明は、太陽電池セル、太陽電池モジュールおよび太陽電池システムに関する。
【背景技術】
【０００２】
太陽電池セルを備えた太陽電池システムは、太陽からの光を電気に変換することから新しいエネルギー変換システムとして期待されており、近年においては一般家庭用の電源や大規模発電プラントとしても利用が盛んに進められつつある。
【０００３】
このような状況下の中、現在、太陽電池システムのより一層の普及のために、低コスト化の研究開発が盛んに行われている。
【０００４】
従来の太陽電池システムは、例えば、一又は複数の太陽電池モジュールからなり、該太陽電池モジュールは電気的に直列接続してなる複数の太陽電池セルを有している。
【０００５】
従来の太陽電池モジュールにおいては、一般に、隣り合う太陽電池セルの一方の太陽電池セルの表面電極と他方の太陽電池セルの裏面電極との間は銅箔等の導電性接続部材によりハンダ等を介して接続されている。
【０００６】
当該太陽電池セルにおいては、例えば、上記表面電極は、太陽電池セルの表面（半導体基板の上面上）の略全面の領域内に形成される複数本の幅狭の電極であるフィンガー電極と、このフィンガー電極と接続された幅広のバスバー電極で構成されており、また上記裏面電極は、太陽電池セルの裏面（半導体基板の下面上）の略全面の領域内に形成される複数本の幅狭の電極であるフィンガー電極と、このフィンガー電極と接続された幅広のバスバー電極で構成されるものや前記略全面上全体に金属膜が形成された構成のものがある。特に両面受光型の太陽電池セルの場合、上述のフィンガー電極及びバスバー電極で構成されるものを採用する場合がある。
【０００７】
最近、太陽電池モジュール中の隣り合う太陽電池セルの一方の太陽電池セルの表面電極と他方の太陽電池セルの裏面電極との間と銅箔等の導電性接続部材の接続を樹脂からなる導電性接着剤で行うことが提案されている（例えば、特許文献１参照）。
【０００８】
特許文献１には、上記接着剤として導電性粒子や絶縁性の粒子を含んだ樹脂が開示されており、上記バスバー電極は、導電性接続部材との電気的接続を十分に確保するために導電性接着剤を介して該導電性接続部材と十分に対向できるように幅広である。
【先行技術文献】
【特許文献】
【０００９】
【特許文献１】特開２００８−1４７５６７号公報
【発明の概要】
【発明が解決しようとする課題】
【００１０】
しかしながら、上述のような樹脂からなる接着剤を用いる場合、表面電極、裏面電極は、導電性接続部材へ食い込むような形態が電気的な接続としてより好ましいが、導電性接続部材へ食い込ませるためには、導電性接続部材の幅広のバスバー電極への押圧を大きくする必要があり、その結果、太陽電池セルの割れが生じやすくなり、製造歩留まりが悪くなるといった課題がある。
【００１１】
そして、導電性接続部材の表面又はバスバー電極の表面に凹凸を有している場合でも、バスバー電極が幅広であるため、導電性接続部材とバスバー電極の接する箇所が多くまたは広い範囲で分布することから、同様の課題が生じる。
【００１２】
また、従来の幅広のバスバー電極は、電極材料を多く使用する必要があり、コスト高になるといった課題もあった。
【００１３】
本発明は、上記課題を鑑みなされたものであり、良好な電気的接続および低コスト化が可能な太陽電池セル、太陽電池モジュールおよび太陽電池システムを提供するものである。
【課題を解決するための手段】
【００１４】
本発明に係る太陽電池モジュールは、複数の太陽電池セルと、該複数の太陽電池セルを電気的に接続するための導電性接続部材とを備える太陽電池モジュールであって、
前記太陽電池セルは、複数本の第１の細線状電極と該複数の第１の細線状電極とそれぞれ交わるように構成された少なくとも１つの第２の細線状電極を有する一方の電極と、他方の電極とを備え、前記導電性接続部材は、前記太陽電池セルの前記一方の電極が該導電性接続部材に食い込むように該太陽電池セルと樹脂からなる接着剤により接着されていることを特徴とする。
【００１５】
本発明に係る太陽電池モジュールは、前記一方の電極は前記第１の細線状電極および前記第２の細線状電極を有し、該第１、第２の細線状電極が細線状であるので、該第１、第２の細線状電極の少なくともいずれかが前記導電性接続部材に良好に食い込むようにできて良好な電気的接続および低コスト化が可能となる。
【００１６】
前記接着剤には、半田、Ｎｉ、Ａｇ等の導電性粒子等の導電性材が含まれてもよく、またＳｉＯ２などの非導電性粒子等の非導電性材が含まれてもよく、これらの両方が含まれてもよく、またこれら両方を含まなくともよい。
【００１７】
前記導電性接続部材は、その表面に導電性軟質層を備えることを特徴とする。
前記導電性接続部材がその表面に導電性軟質層を備えるので、前記一方の電極の該導電性接続部材への食い込みが良好となり、より良好な電気的接続が可能となる。
【００１８】
前記第２の細線状電極の平均高さは、前記第１の細線状電極の平均高さより大きいことを特徴とする。なお、平均高さとは、前記導電性接続部材と対応する範囲における前記第１の細線状電極、前記第２の細線状電極の各線幅の中心に位置する中心線に沿った高さの平均をいう。
【００１９】
前記第２の細線状電極の平均高さは、前記第１の細線状電極の平均高さより大きいので、前記第２の細線状電極の前記導電性接続部材への食い込みが良好となり、より良好な電気的接続が可能となる。
【００２０】
前記第２の細線状電極が、前記導電性接続部材に食い込むことを特徴とする。
【００２１】
前記第２の細線状電極の線幅は、前記第１の細線状電極の線幅と略同じであることを特徴とする。
【００２２】
例えば、前記第２の細線状電極の線幅と前記第１の細線状電極の線幅の差は、絶対値で５０μｍ以内である。
【００２３】
前記第２の細線状電極の線幅は、前記第１の細線状電極の線幅と略同じであるので、
例えば、スクリーン印刷法で容易に形成可能である。
【００２４】
前記第２の細線状電極は、非直線状であることを特徴とする。
【００２５】
前記第２の細線状電極は、非直線状であるので、該第２の細線状電極と前記導電性接続部材が接する部分が増えるため、前記一方の電極と前記接続部材との間の良好な電気的接続が得られ、このように接する部分が増えるに加え、外力が分散するため、機械的接続の信頼性が高くなる。また、前記導電性接続部材の前記第２の細線状電極上への配置の際の精度を低くできるため、製造時間を低減でき、製造コストを抑えることができる。
【００２６】
前記第２の細線状電極の幅Ｗは、前記導電性接続部材の幅より大きいことを特徴とする。
【００２７】
前記第２の細線状電極の幅Ｗは、前記導電性接続部材の幅より大きいので、前記導電性接続部材の前記第２の細線状電極上への配置の際の精度を低くできるため、製造時間を低減でき、製造コストを抑えることができる。
【００２８】
本発明に係る太陽電池セルは、導電性接続部材により他の太陽電池セルと電気的に接続されると共に、該導電性接続部材が樹脂からなる接着剤により該太陽電池セルと前記他の太陽電池セルに接着される太陽電池セルであって、前記太陽電池セルは、複数本の第１の細線状電極と該複数の第１の細線状電極とそれぞれ交わるように形成された少なくとも１つの第２の細線状電極を有する一方の電極と、他方の電極を備えることを特徴とする。
【００２９】
本発明に係る太陽電池セルは、前記一方の電極は前記第１の細線状電極および前記第２の細線状電極を有し、該第１、第２の細線状電極が細線状であるので、該第１、第２の細線状電極の少なくともいずれかが前記導電性接続部材に良好に食い込むようにできて良好な電気的接続および低コスト化が可能となる。
【００３０】
本発明に係る太陽電池システムは上記太陽電池モジュールを備えることを特徴とする。
【００３１】
本発明に係る太陽電池システムは、前記一方の電極は前記第１の細線状電極および前記第２の細線状電極を有し、該第１、第２の細線状電極が細線状であるので、該第１、第２の細線状電極の少なくともいずれかが前記導電性接続部材に良好に食い込むようにできて良好な電気的接続および低コスト化が可能となる。
【００３２】
前記他方の電極は、複数本の第１の細線状電極と該複数の第１の細線状電極とそれぞれ交わるように構成された少なくとも１つの第２の細線状電極を有してもよい。
【００３３】
前記一方の電極の前記第２の細線状電極の形状と前記他方の電極の前記第２の細線状電極の形状は、対称関係にあってもよい。また、前記一方の電極の前記第２の細線状電極の形状と前記他方の電極の前記第２の細線状電極の形状は、前記半導体基板の上面上方側から垂直方向に見た場合、裏返しの関係であってもよい。
【００３４】
前記一方の電極の第２の細線状電極と前記他方の前記第２の細線状電極は、太陽電池セルを構成する半導体基板を介して対向するように配置されると共に、前記半導体基板の上面上方側から垂直方向に見た場合、形状が異なると共に交わる部分を有してもよい。前記一方の電極の第２の細線状電極と前記他方の前記第２の細線状電極の少なくとも一方は非直線状であってよい。
【図面の簡単な説明】
【００３５】
【図１】本発明の第１実施形態に係る太陽電池モジュールの上面図である。
【図２】本発明の第１実施形態に係る太陽電池モジュールの斜視図である。
【図３】図１のＡ−Ａ’に沿った一部断面図である。
【図４】図４（a）は図１の太陽電池モジュール中の太陽電池セルの下面図であり、図４（ｂ）は当該太陽電池セルの裏面図である。
【図５】図５（a）は本発明の第１実施形態に係る太陽電池モジュール中の太陽電池セルと導電性接続部材との接続を説明するための表側平面図であり、図５（ｂ）は  図５（a）中のＡ−Ａ’に沿った一部の模式断面図である。
【図６】図６（a）は  図５（a）中のＢ−Ｂ’に沿った一部の模式断面図、図６（ｂ）は  図５（a）中のＣ−Ｃ’に沿った一部の模式断面図である。
【図７】図７（a）は本発明の第２実施形態に係る太陽電池モジュール中の太陽電池セルの上面図、図７（ｂ）は当該太陽電池モジュール中の太陽電池セルの下面図である。
【図８】図８（a）は本発明の第３実施形態に係る太陽電池モジュール中の太陽電池セルの上面図、図８（ｂ）は当該太陽電池モジュール中の太陽電池セルの下面図である。
【図９】図９（a）は本発明の第４実施形態に係る太陽電池モジュール中の太陽電池セルの上面図、図９（ｂ）は当該太陽電池モジュール中の太陽電池セルの下面図である。
【図１０】図１０（a）は本発明の第５実施形態に係る太陽電池モジュール中の太陽電池セルの上面図、図１０（ｂ）は当該太陽電池モジュール中の太陽電池セルの下面図である。
【図１１】図１１（a）は本発明の第６実施形態に係る太陽電池モジュール中の太陽電池セルの上面図、図１１（ｂ）は当該太陽電池モジュール中の太陽電池セルの下面図である。
【発明を実施するための形態】
【００３６】
以下、本発明の実施の形態について、図面を参照しながら説明する。
（第１実施形態）
図１乃至図６を参照して本発明の第１実施形態に係る複数の太陽電池セルを備えた太陽電池モジュールを説明する。図１は本実施形態に係る太陽電池モジュールの上面図、図２は当該太陽電池モジュールの斜視図、図３は図１のＡ−Ａ’断面の一部の断面図、図４（a）は図１の太陽電池モジュール中の太陽電池セルの上面図、図４（ｂ）は当該太陽電池セルの裏面図、図５（a）は当該太陽電池セルと導電性接続部材との接続を説明するための表側平面図であり、図５（ｂ）は  図５（a）中のＡ−Ａ’に沿った一部の模式断面図、図６（a）は  図５（a）中のＢ−Ｂ’に沿った一部の模式断面図、図６（ｂ）は  図５（a）中のＣ−Ｃ’に沿った一部の模式断面図である。
【００３７】
図１乃至図３を参照して、１は太陽電池モジュールであり、該太陽電池モジュール１は、白板強化ガラス等の透明な表面側カバー２、ポリエチレンテレフタレート（ＰＥＴ）等の樹脂フィルムからなる耐候性の裏面側カバー３、および表面側カバー２と裏面側カバー３の間に充填材７を介して配置された、複数の太陽電池セル４、４、・・・が導電性表面材としての厚み２０〜４０μｍの鉛フリー半田層(柔軟層)で表面が被覆されてなる銅箔等からなる幅０．８〜２ｍｍ、厚み１００〜２００μｍののストリップ状の導電性接続部材５、５、・・により電気的に直列接続されてなる直線状の太陽電池群６、６、・・・からなる板状の構成体と、該構成体を支持するアルミニウム等からなる金属製枠体８から構成されている。
【００３８】
各太陽電池群６、６、・・・は互いに並列に配置され、全ての太陽電池群６、６、・・・が電気的に直列接続するように、各所定の隣り合う太陽電池群６、６の一方端側の導電性接続部材５、５、５、５が幅６ｍｍ、厚み３００μｍの鉛フリー半田層で表面が被着された平板銅線等からなるストリップ状の導電性接続部材９によって半田接続されると共に、他の所定の隣り合う太陽電池群６、６の他方端側の導電性接続部材５、５、５、５・・・が幅３ｍｍ、厚み３００μｍの鉛フリー半田層で表面が被覆された平板銅線等からなるＬ字状の導電性接続部材１０、１１と半田接続されている。この構成により、太陽電池モジュール１の複数の太陽電池セル４、４、・・・はマトリックス状に配置される。
【００３９】
最外側の太陽電池群６、６中の電力取り出し側の両最端の太陽電池セル４、４の接続部材５、５、・・には、太陽電池モジュール１から電気出力を取り出すための幅６ｍｍ、厚み３００μｍの半田メッキ付き平板銅線等からなるＬ字状の接続部材（出力取り出し用接続部材）１２、１３がそれぞれ半田接続されている。
【００４０】
なお、上記Ｌ字状の接続部材１０、１１とＬ字状の接続部材１２、１３との間、上記Ｌ字状の接続部材１１とＬ字状の接続部材１３の間で交差する部分は、図示しないポリエチレンテレフタレート（ＰＥＴ）等の絶縁シートなどの絶縁部材を介在させている。
【００４１】
また、図示しないが、上記Ｌ字状の接続部材１０、上記Ｌ字状の接続部材１１、Ｌ字状の接続部材１２およびＬ字状の接続部材１３の各先端側部分は、裏面側カバー３の切り欠きを介して太陽電池モジュール１の上部側中央に位置するように端子ボックス１４内に導かれている。前記端子ボックス内１４において、上記Ｌ字状の接続部材１２とＬ字状の接続部材１０の間、上記Ｌ字状の接続部材１０とＬ字状の接続部材１１の間、およびＬ字状の接続部材１１とＬ字状の接続部材１３の間は、ぞれぞれバイパスダイオード（図示しない）で接続されている。
【００４２】
図４乃至図６を参照して、上記太陽電池セル４、４、・・・は、表面上に、略表面全域を覆うように配置される複数本の幅狭の直線状のフィンガー電極４０a、４０a・・・とこれと接続される２本の幅狭の鋸歯状のバスバー電極４０ｂ、４０ｂからなる表面電極４０を有すると共に、裏面上に、略表面全域を覆うように配置される複数本の幅狭の直線状のフィンガー電極４１a、４１a・・・とこれと接続される２本の幅狭の鋸歯状のバスバー電極４1ｂ、４1ｂからなる裏面電極４１を有している。なお、図４中の点線は、接続部材５が配置される部分を示している。
【００４３】
上記太陽電池セル４、４、・・・は、例えば、図示しないが、n型単結晶シリコン基板のテクスチャー構造を有する表面上の略全域に、i型アモルファスシリコン層、ｐ型またはn型の一導電型アモルファスシリコン層及び上記セル表面としてのＩＴＯなどの一方の透明導電膜層をこの順に備え、該基板のテクスチャー構造を有する裏面上の略全域に、i型アモルファスシリコン層、前記一導電型とは逆導電型であるアモルファスシリコン層、上記セル裏面としてのＩＴＯなどの他方の透明導電膜層をこの順に備えた光電変換部を有する所謂ＨＩＴ構造の太陽電池セルであり、表面電極４０及び裏面電極４１は、エポキシ樹脂をバインダー、銀粒子を導電基体とした熱硬化型導電性ペーストである銀ペーストを熱硬化して作製されている。
【００４４】
そして、隣り合う太陽電池セル４、４・・・は、一方の太陽電池セル４の表面電極４０のバスバー電極４０ｂ、４０ｂと他方の太陽電池セル４の裏面電極４１のバスバー電極４１ｂ、４１ｂ間が、例えば、エポキシ樹脂及び導電性粒子であるニッケル粒子を含む樹脂からなる導電性接着剤１０により導電性接続部材５、５が機械的および電気的に接続されている。
【００４５】
上記表面電極４０は、バスバー電極４０ｂの平均高さがフィンガー電極４０aの平均高さより高く、好ましくは５μｍ以上高く構成され、バスバー電極４０ｂの幅Ｗが導電性接続部材５の線幅より広く構成されている。
【００４６】
本実施形態では、フィンガー電極４０a、４０a・・・は、厚み(平均高さ)２０〜６０μｍから設定され、例えば４０μｍであり、線幅Ｗｆが５０〜１２０μｍ、好ましくは５０〜１００μｍから設定され、例えば９０μｍの細線状電極で、２ｍｍおきに配置され、バスバー電極４０ｂ、４０ｂは、厚み(平均高さ)２０〜８０μｍから設定され、例えば５０μｍであり、線幅Ｗｂが５０〜２００μｍ、好ましくは８０〜１５０μｍから設定され、例えば１２０μｍの細線状電極で、幅Ｗは１〜２．５ｍｍであり、導電性接続部材５の線幅が１ｍｍの場合、例えば１．４ｍｍである。
【００４７】
裏面電極４１は、バスバー電極４１ｂの平均高さがフィンガー電極４１aの平均高さより高く、好ましくは５μｍ程度以上高く構成され、バスバー電極４０ｂの幅Ｗが導電性接続部材５の線幅より広く構成されている。
【００４８】
本実施形態では、フィンガー電極４１a、４１a・・・は、厚み(平均高さ) が１０〜６０μｍから設定され、例えば２５μｍであり、線幅Ｗｆが５０〜１５０μｍから設定され、例えば１２０μｍの細線状電極で、１ｍｍおきに配置されおり、バスバー電極４１ｂ、４１ｂは、厚み(平均高さ)３０〜１００μｍから設定され、例えば３０μｍであり、、線幅Ｗｂが５０〜２００μｍ、好ましくは８０〜１５０μｍから設定され、例えば１２０μｍの細線状で、幅Ｗは１〜２．５ｍｍであり、導電性接続部材５の線幅が１ｍｍの場合、例えば１．４ｍｍである。
【００４９】
上記フィンガー電極４０a、４１aの線幅Ｗｆと上記バスバー電極４０ｂ、４１ｂの線幅Ｗｂの比Ｗｆ/Ｗｂは、０．５〜１．５であり、好ましくは上記フィンガー電極４０a、４１aの線幅と上記バスバー電極４０ｂ、４１ｂの線幅の差は、例えば、絶対値で５０μｍ以内である。
【００５０】
また、表面電極４０においては、光入射を十分に行うためフィンガー電極４０aの線幅をより狭くするのが好ましい。この場合、スクリーン印刷での形成では、フィンガー電極４０aの延在方向を印刷方向とするのが好ましく、バスバー電極４０ｂの印刷かすれを防止するため、バスバー電極４０ｂの線幅はフィンガー電極４０aの線幅より大きくするのが好ましく、上記フィンガー電極４０aの線幅Ｗｆと上記バスバー電極４０ｂの線幅Ｗｂの比Ｗｆ/Ｗｂは、０．５以上１未満である。
【００５１】
本実施形態では、表面電極４０は、幅狭の細線状のバスバー電極４０ｂ、４０ｂが導電性接続部材５、５の上述の柔軟層５a、５aに大部分の領域で深く食い込んで接続され、フィンガー電極４０aは、バスバー電極４０ｂ、４０ｂに比べ平均高さが低いため、導電性接続部材５、５の上述の柔軟層５a、５aへの食い込み状態が大部分の領域で浅く接続されている。なお、フィンガー電極４０aは、導電性接続部材５、５と当接する形態でもよく、更には食い込まない形態でもよい。
【００５２】
また、裏面電極４１も、幅狭の細線状のバスバー電極４１ｂ、４１ｂが導電性接続部材５、５の上述の柔軟層５a、５aに大部分の領域で深く食い込んで接続され、フィンガー電極４１aは、バスバー電極４１ｂ、４１ｂに比べ平均高さが低いため、導電性接続部材５、５の上述の柔軟層５a、５aへの食い込み状態が大部分の領域で浅く接続されている。なお、フィンガー電極４１aは、導電性接続部材５、５と当接する形態でもよく、更には食い込まない形態でもよい。
【００５３】
このように、接続部材５，５、・・・は、太陽電池セル４，４、・・の表面、バスバー電極４０ｂ、４０ｂ、４１ｂ、４１ｂ及びフィンガー電極４０a、４１a、・・・に接着剤１０，１０、・・により固着されているに加え、バスバー電極４０ｂ、４０ｂ、４１ｂ、４１ｂが接続部材５，５、・・・に良好に食い込む形態をとることにより、接続部材５，５、・・・が太陽電池セル４、４、・・・に電気的、機械的に良好に取り付けられている。
【００５４】
本実施形態では、バスバー電極４０ｂ、４０ｂの幅Ｗ、バスバー電極４１ｂ、４１ｂの幅Ｗが導電性接続部材の線幅より大きいため、導電性接続部材５のバスバー電極４０ｂ、４０ｂ、バスバー電極４１ｂ、４１ｂの配置の際の精度が低くてもよいため、製造時間を低減でき、製造コストを抑えることができる。
【００５５】
本実施形態では、表面電極４０、裏面電極４１は幅狭である細線状のフィンガー電極４０a、４１aおよび幅狭である細線状のバスバー電極４０ｂ、４１ｂで構成されているため、電極の材料量を少なくできる。
【００５６】
更に、本実施形態では、フィンガー電極４０a、４１aのほか、バスバー電極４０ｂ、４１ｂが幅狭である細線状であるので、従来の幅広のバスバー電極に比べて導電性接続部材のバスバー電極への押圧を大きくすることなく、導電性接続部材５への良好な食い込みが可能になり、表面電極４０、裏面電極４１と接続部材５との間の良好な電気的接続が得られる。
【００５７】
また、バスバー電極４０ｂ、４１ｂは、鋸歯状、即ち直線状でない形状（非直線状）としているので、バスバー電極が細線の直線状であるより、接続部材５、５とバスバー電極４０ｂ、４１ｂが接する部分が増えるため、表面電極４０、裏面電極４１と接続部材５との間の良好な電気的接続が得られ、また、当該接する部分が増えるに加え、外力が分散するため、機械的接続の信頼性が高くなる。また、バスバー電極４０ｂ、４１ｂは、非直線状としているので、導電性接続部材５のバスバー電極４０ｂ、４０ｂ、バスバー電極４１ｂ、４１ｂの配置の際の精度が低くてもよいため、製造時間を低減でき、製造コストを抑えることができる。
【００５８】
また、本実施形態では、バスバー電極４０ｂ、４１ｂの平均高さがフィンガー電極４０a、４１aの平均高さより高いので、表面電極４０、裏面電極４１の導電性接続部材への機械的な接続はバスバー電極４０ｂ、４１ｂがフィンガー電極４０a、４１aより支配的になる。
【００５９】
この結果、従来の幅広のバスバー電極に比べて導電性接続部材５のバスバー電極４０ｂ、４１ｂへの押圧を大きくすることなく、導電性接続部材へのより良好な食い込みが可能になり、表面電極４０、裏面電極４１と接続部材５との間の良好な電気的接続が得られると共に、本実施形態のように表面電極４０、裏面電極４１のフィンガー電極４０a、４１aの本数が異なる場合、裏面側と表面側の応力差を小さくでき、セル割れを抑制でき、良好な製造歩留まりが可能となる。
【００６０】
また、フィンガー電極４０a、４１aの平均高さはバスバー電極４０ｂ、４１ｂの平均高さより小さいので、フィンガー電極の平均高さが高い場合に比べて接着剤１０が当該フィンガー電極に沿って広がるのを抑えることができる。
【００６１】
本実施形態では、バスバー電極４０ｂ、４０ｂの幅Ｗ、バスバー電極４１ｂ、４１ｂの幅Ｗが導電性接続部材の線幅より大きいため、接着剤１０が広がってもその広がりをバスバー電極４０ｂ、４０ｂの張り出した部分では当該部分内までに押さえることができる。
（太陽電池モジュールの製造方法）
以下に本実施形態に係る太陽電池モジュールの製造方法を説明する。
【００６２】
まず、太陽電池セル４の上記表面側の透明電極膜層上に、スクリーン印刷によりエポキシ系熱硬化型銀ペーストを印刷し、２００℃で1時間加熱してこれを完全に硬化させて表面電極４０を形成する。その後、同様に、太陽電池セル４の上記裏面側の透明電極膜層上に、スクリーン印刷によりエポキシ系熱硬化型銀ペーストを印刷し、２００℃で1時間加熱してこれを完全に硬化させて裏面電極４１を形成する。
【００６３】
ここで、バスバー電極４０ｂ、４１ｂの平均高さをフィンガー電極４０a、４１aの平均高さより高くなるように、本実施形態ではバスバー電極４０ｂ、４１ｂの幅をフィンガー電極４０ｂ、４１ｂの幅より大きく設定し、且つ上述のスクリーン印刷の印刷スピードを制御する。なお、これに代えて、バスバー電極４０ｂ、４１ｂの平均高さをフィンガー電極４０ｂ、４１ｂの平均高さより高くなるように、異なる印刷版を用いてスクリーン印刷を2回印刷してもよい。
【００６４】
次に、複数の接続部材５、５、・・・を準備し、各接続部材５の一方の表面上の太陽電池セル４と対向する部分および他の表面上の該セル４と隣り合う太陽電池セル４と対向する部分に約３０μｍの厚みになるようにディスペンサーを用いて接着剤１０を塗布する。
【００６５】
次に、複数の太陽電池セル４、４、・・・を隣り合う太陽電池セル４、４の一方の太陽電池セル４の表面電極４０のバスバー電極４０ｂと他方の太陽電池セル４の裏面電極４１のバスバー電極４１ｂとに上記接着剤１０が塗布された面が対向するように接続部材５、５、・・・を配置した状態で、約２ＭＰａで加圧しながら、２００℃で１時間加熱して接着剤を硬化させて太陽電池群６を作製する。なお、この加熱過程において、バスバー電極４０ｂ、・・・、４１ｂ・・・が接続部材５、５、・・・の柔軟層５a、５a、・・に食い込むように加圧する。ここでは、太陽電池セル４、４と接続部材５を接着するために、接着剤１０を形成した接続部材５を準備したが、接着剤１０を太陽電池セル４上に塗布等により形成したものを準備してもよく、接着剤１０としてフィルム状のものを準備し、これをバスバー電極４０ｂ、・・・４１ｂ・・・上に配置し、その上に接続部材５、５・・・を配置した状態で加熱・加圧してもよい。
【００６６】
次に、太陽電池群６を複数準備し、接続部材９、９、９、接続部材１０、１１、１２、１３を取り付けた構造体を作製した後、表面側カバー２、充填材となる封止シート、該構造体、充填材となる封止シート、裏面側カバー３の順に積層し、真空状態で、１５０℃で１０分間加熱圧着する。その後、１５０℃で１時間加熱することで、完全に硬化させる。
【００６７】
最後に、端子ボックス１４、金属枠体８をとりつけ、太陽電池モジュール１を完成する。
（第２実施形態）
図７を参照して本発明の第２実施形態に係る太陽電池モジュールを説明する。図７（a）は本施形態に係る太陽電池モジュール中の太陽電池セルの上面図、図７（ｂ）は当該太陽電池セルの下面図である。
【００６８】
上面図である。なお、第1実施形態との相違点について主に説明する。
【００６９】
図７を参照して、各太陽電池セル４、４、・・・は、表面上に、略表面全域を覆うように配置される複数本の幅狭の直線状のフィンガー電極４０a、４０a・・・とこれと接続される２本の幅狭の鋸歯状のバスバー電極１４０ｂ、１４０ｂからなる表面電極４０を有すると共に、裏面上に略表面全域を覆うように配置される複数本の幅狭の直線状のフィンガー電極４１a、４１a・・・とこれと接続される２本の幅狭の鋸歯状のバスバー電極１４1ｂ、１４1ｂからなる裏面電極４１を有している。
【００７０】
第２実施形態で、第1実施形態と異なる点は、表面電極４０のバスバー電極１４０ｂの幅Ｗが導電性接続部材５の線幅と同じまたは当該幅より狭く、裏面電極４１のバスバー電極１４１ｂの幅Ｗが導電性接続部材５の線幅同じまたは当該幅より狭く構成されている点である。
【００７１】
本実施形態では、バスバー電極１４０ｂ、１４０ｂ、１４１ｂ、１４１ｂは例えば幅Ｗ０．６〜１ｍｍから設定され、その他は第１実施形態と同じである。
【００７２】
本実施形態では、第1の実施形態と同様に従来に比べ良好な電気的および機械的な接続やセル割れの抑制ができる。特に、第1実施形態に比べ、電極材料をより少なくできると共に、接続部材５、５とバスバー電極１４０ｂ、１４１ｂが対向する部分が増え、導電性接続部材５、５へのより良好な食い込みが可能になり、表面電極４０、裏面電極４１と接続部材５との間のより良好な電気的および機械的な接続が得られる。
（第３実施形態）
図８を参照して本発明の第３実施形態に係る太陽電池モジュールを説明する。図８（a）は本施形態に係る太陽電池モジュール中の太陽電池セルの上面図、図８（ｂ）は当該太陽電池セルの下面図である。なお、第1実施形態との相違点について主に説明する。
【００７３】
図８を参照して、各太陽電池セル４、４、・・・は、表面上に、略表面全域を覆うように配置される複数本の幅狭の直線状のフィンガー電極４０a、４０a・・・とこれと接続される２本の幅狭の波形状のバスバー電極２４０ｂ、２４０ｂからなる表面電極４０を有すると共に、裏面上に略表面全域を覆うように配置される複数本の幅狭の直線状のフィンガー電極４１a、４１a・・・とこれと接続される２本の幅狭の波形状のバスバー電極２４1ｂ、２４1ｂからなる裏面電極４１を有している。
【００７４】
本実施形態でも、第1実施形態と同様の効果が得られる。
（第４実施形態）
図９を参照して本発明の第１実施形態に係る太陽電池モジュールを説明する。図９（a）は本施形態に係る太陽電池モジュール中の太陽電池セルの上面図、図９（ｂ）は当該太陽電池セルの下面図である。なお、第1実施形態との相違点について主に説明する。
【００７５】
図９を参照して、各太陽電池セル４、４、・・・は、表面上に、略表面全域を覆うように配置される複数本の幅狭の直線状のフィンガー電極４０a、４０a・・・とこれと接続される２本の幅狭の直線状のバスバー電極３４０ｂ、３４０ｂからなる表面電極４０を有すると共に、裏面上に略表面全域を覆うように配置される複数本の幅狭の直線状のフィンガー電極４１a、４１a・・・とこれと接続される２本の幅狭の直線状のバスバー電極３４1ｂ、３４1ｂからなる裏面電極４１を有している。
【００７６】
本実施形態は第1の実施形態と同様に従来に比べ良好な電気的および機械的な接続やセル割れの抑制ができる。特に、第1実施形態に比べ、電極材料の低減が図れる。
（第５実施形態）
図１０を参照して本発明の第５実施形態に係る太陽電池モジュールを説明する。図１０（a）は本施形態に係る太陽電池モジュール中の太陽電池セルの上面図、図１０（ｂ）は当該太陽電池セルの下面図である。なお、第1実施形態との相違点について主に説明する。
【００７７】
図１０を参照して、各太陽電池セル４、４、・・・は、表面上に、略表面全域を覆うように配置される複数本の幅狭の直線状のフィンガー電極４０a、４０a・・・とこれと接続される２本1組となる幅狭の直線状のバスバー電極４４０ｂ、４４０ｂが２つからなる表面電極４０を有すると共に、裏面上に略表面全域を覆うように配置される複数本の幅狭の直線状のフィンガー電極４１a、４１a・・・とこれと接続される２本1組となる幅狭の直線状のバスバー電極４４1ｂ、４４1ｂが２つからなる裏面電極４１を有している。
【００７８】
本実施形態は第1の実施形態と同様に従来に比べ電極材料の量を抑制でき、良好な電気的および機械的な接続やセル割れの抑制ができる。特に、第４実施形態に比べ、良好な電気的および機械的な接続が実現できる。
（第６実施形態）
図１１を参照して本発明の第６実施形態に係る太陽電池モジュールを説明する。図１０（a）は本施形態に係る太陽電池モジュール中の太陽電池セルの上面図、図１０（ｂ）は当該太陽電池セルの下面図である。なお、第1実施形態との相違点について主に説明する。
【００７９】
本実施形態が第１実施形態と異なる点は、表面電極４０が３つのバスバー電極４０ｂ、４０ｂ、４０ｂを有すると共に、裏面電極４１が３つのバスバー電極４１ｂ、４１ｂ、４１ｂを有する点である。
【００８０】
本実施形態は、第1実施形態と同様の効果が得られる他、バスバー電極が表面および裏面それぞれ３つ備えるので、集電効率が増す効果が得られる。
（第７実施形態）
次に、本発明の第７の実施の形態に係る太陽電池システムを説明する。
【００８１】
本実施形態の太陽電池システムは、第１実施形態乃至第６実施形態の太陽電池モジュール１の複数を、例えば個人住宅の屋根の上に、固定用ビスを用いて夫々屋根面に留め付け、また隣り合う太陽電池モジュールを互いに係合させて、水下側（軒側）から水上側（棟側）に向けて段葺きに（階段状に）設置すると共に、これらを制御等するための制御システムで構成されてなる太陽電池システムである。
【００８２】
上述の太陽電池システムでは、例えば個人住宅用としたが、本発明はこれに限ることなく、また太陽電池モジュールの設置方法も適宜変更可能である。
【００８３】
上記各実施形態の太陽電池セルは、所謂ＨＩＴ太陽電池セルを用いて説明したが、単結晶太陽電池セルや多結晶太陽電池セルなどの種々の太陽電池セルに適宜利用可能であり、また両面受光型のほか、片面受光型へも適用が可能である。
【００８４】
上記多結晶太陽電池セルまたは単結晶太陽電池は、例えば、Ｐ型多結晶またはＰ型単結晶からなるシリコン基板の表面から所定の深さまでn+層が形成されてｐn接合が形成され、該シリコン基板の裏面から所定の深さまでp+層が形成され、前記n＋層上に表面電極４０が形成され、前記ｐ＋層上に裏面電極４１が形成された太陽電池セルでもよい。
【００８５】
また、表面電極のバスバー電極および裏面電極のバスバー電極が共に非直線状の線状電極である場合、幅Ｗは同一としてもよいが、異なるようにしてもよい。
【００８６】
更には、上記各実施形態とも、表面電極および裏面電極ともフィンガー電極とバスバー電極とで構成された電極であったが、表面電極と裏面電極の形状をことなるようにしてもよく、例えば、表面電極がフィンガー電極とバスバー電極とで構成され、裏面電極が他の構造の電極、例えば全面金属膜で覆われる電極のものへも適用が可能である。
【００８７】
また、接続部材５の表面に凹凸が設けられていてもよい。
【００８８】
更に、上記各実施形態では、表面電極および裏面電極のバスバー電極はそれぞれ２〜３つであるが、適宜その数を変更してもよい。
【符号の説明】
【００８９】
１  太陽電池モジュール
４  太陽電池セル
５  接続部材
４０  表面電極
４０a  フィンガー電極
４０ｂ、１４０ｂ、２４０ｂ、３４０ｂ バスバー電極
４１  裏面電極
４１a  フィンガー電極
４１ｂ、１４１ｂ、２４１ｂ、３４１ｂ バスバー電極
【図１】
2010238938.tif 000003
【図２】
2010238938.tif 000004
【図３】
2010238938.tif 000005
【図４】
2010238938.tif 000006
【図５】
2010238938.tif 000007
【図６】
2010238938.tif 000008
【図７】
2010238938.tif 000009
【図８】
2010238938.tif 000010
【図９】
2010238938.tif 000011
【図１０】
2010238938.tif 000012
【図１１】
2010238938.tif 000013